(57)【要約】      （修正有）【課題】  容易に着脱できるＥＤ用補助具を提案する。【解決手段】  陰茎１０の根元部を締め付けて勃起状態を持続させる締め付けバンド２を備えた補助サポータ１であって、前記締め付けバンド２を、伸縮性材料で、内面を円筒状に形成し、前記締め付けバンド２の一端の内面半径を、筒状の外側に向けて拡大させて先端開放部３を形成するとともに、前記締め付けバンド２を、前記先端開放部３を前方となるように前記陰茎の根元部に挿着した際に、前記先端開放部３が勃起時の陰茎１０の根元部に沿う高さに形成した。【選択図】    図１
2006110319.tif 000002
【特許請求の範囲】
【請求項１】
陰茎の根元部を締め付けて勃起状態を持続させる締め付け部を備えたＥＤ用補助具であって、
前記締め付け部を、伸縮性材料で、内面を円筒状に形成し、
前記締め付け部の一端の内面半径を、筒状の外側に向けて拡大させて先端開放部を形成するとともに、
前記締め付け部を、前記先端開放部を前方となるように前記陰茎の根元部に挿着した際に、前記先端開放部が勃起時の陰茎の根元部に沿う高さに形成した
ＥＤ用補助具。
【請求項２】
前記先端開放部を、勃起時の陰茎の根元部の太さ以下に拡大させて形成した
請求項１に記載のＥＤ用補助具。
【請求項３】
前記先端開放部の伸縮性材料の肉厚を、締め付け部の肉厚より薄く形成した
請求項１または２に記載のＥＤ用補助具。
【請求項４】
前記締め付け部の他端外側にフランジ部を備え、
該フランジ部を、前記締め付け部と一体に形成し、
前記フランジ部の外周縁に沿って、断面が略円形の端面補強部を備えた
請求項１、２または３に記載のＥＤ用補助具。
【請求項５】
前記端面補強部、前記フランジ部あるいは前記締め付け部に、
局部の一部を圧迫して刺激を促す圧迫部を備えた
請求項１から４のうちいずれかに記載のＥＤ用補助具。
【請求項６】
前記圧迫部、前記フランジ部あるいは前記締め付け部に、
刺激生成用の駆動装置を備えた
請求項１から５のうちいずれかに記載のＥＤ用補助具。
【発明の詳細な説明】
【技術分野】
【０００１】
この発明は、例えば陰茎根元部に装着して勃起状態を持続させるようなＥＤ用補助具に関する。
【背景技術】
【０００２】
国民の高齢化問題に対して注目が高まるなか、中高年の夫婦の生活の質（Ｑｕａｌｉｔｙ  ｏｆ  Ｌｉｆｅ）を高める１つの重要な鍵として円満な性生活を充実させることについて着目されている。
【０００３】
そのような状況のもと、ＥＤ（Ｅｒｅｃｔｉｌｅ  Ｄｙｓｆｕｎｃｔｉｏｎ）について、様々な研究がなされている。
【０００４】
ここで、ＥＤとは、性交時に十分な勃起が得られないため、あるいは十分な勃起が維持できないため、満足な性交が行えない状態と定義されており、いわゆる勃起機能低下のことを指す。これは、中年以上の男性に多く起こりうる現象といえる。
【０００５】
ＥＤの治療方法を大別すると、薬物治療、侵襲的治療、非侵襲的治療がある。  
薬物治療は、最近の薬物の進歩により確実に効果は高まっているが、腎障害、肝障害ならび６５歳以上の高齢者への投与について十分な配慮が必要であること、また薬剤が高価であること等の問題がある。
【０００６】
また、侵襲的治療には、平滑筋弛緩を生ずる血管作用薬を陰茎海綿体に注射する海綿体注射療法や陰茎海面体内への陰茎プロステーシスの埋め込み等がある。  
海綿体注射療法は、海綿体組織の持続勃起症をきたすことがあり、また陰茎プロステーシスの埋め込みは、海綿体を破壊するため他の治療への転換が不可能である。
【０００７】
非侵襲的治療は、禁煙、禁酒を行い、カウンセリングを行い、勃起させるために陰圧式勃起補助具を用いる。  
陰圧式勃起補助具は、合併症や禁忌が少なく長期使用に適しているが、屈辱感、射精感喪失を感じる、また装着方法および利用方法が煩雑であり利用に手間を要する等の問題があった。
【０００８】
なお、２００２年に日本におけるＥＤの推定患者数は、５６歳以上の男性の約半分にあたる約１１３０万人であるが、そのうち医者にＥＤを相談した患者は４．８％程度しかいない。このように男性にとって深刻な問題でありながら、社会的に認知されにくいこと、個人的にも表明しづらいということ、また、ＥＤ治療に健康保険の適用がないため経済的に治療できないということが、ＥＤ治療の大きな問題とされている。
【０００９】
そこで、ＥＤ患者のうちの多くを占める勃起可能であるが十分な勃起を維持することができない患者が、家庭で非侵襲的治療のような治療ができるように、補助具の提案がされている（特許文献１参照）。
【００１０】
先ず、ここで陰茎と勃起の構造について詳述すると、図１８に示すように、陰茎１０には、２つの海綿体１０１があり、海綿体１０１の中央には太い血管１０２が通り、太い血管１０２は静脈（図示せず）につながっている。  
勃起は、海綿体１０１に血液が流れ込むと同時に、陰茎１０の根元部分にある球海綿体筋（図示せず）が収縮して、血液が太い血管１０２を通って静脈へ流出することを防止し、海綿体１０１に血液がたまることで生じる。  
十分な勃起が維持できないＥＤ患者は、勃起を生じる構造には問題ないが、球海綿体筋の収縮を持続できないため、海面体内の血液が太い血管１０２を通って静脈へ流出し、勃起状態を持続することができない。
【００１１】
提案されている補助具は、平面視略四角形で厚みを有する形状であり、中央部に表面と裏面を貫通する孔を備え、合成樹脂等の柔軟な弾性材料で形成されている。  
利用者は孔に陰茎を通して、補助具を陰茎の根元部に嵌着し、陰茎が勃起することで孔が陰茎の根元部分を締め付け、その締め付けによって、海面体内の血液が太い血管１０２を通って静脈へ流出することを防止するものである。
【００１２】
しかし、前記補助具は、陰茎に対して大きく重量があるため、装着時の屈辱感、異物感が大きく、装着感は満足できるものではなかった。  
また、前記補助具は大きさ、厚みがあるため、パートナーへの陰茎の挿入時に距離を感じ、密接感を得ることはできなかった。
【００１３】
【特許文献１】特開２０００−１３９９８１号公報
【発明の開示】
【発明が解決しようとする課題】
【００１４】
この発明は、容易に着脱でき、装着感のよいＥＤ用補助具を提案するものである。
【課題を解決するための手段】
【００１５】
この発明は、陰茎の根元部を締め付けて勃起状態を持続させる締め付け部を備えたＥＤ用補助具であって、前記締め付け部を、伸縮性材料で、内面を円筒状に形成し、前記締め付け部の一端の内面半径を、筒状の外側に向けて拡大させて先端開放部を形成するとともに、前記締め付け部を、前記先端開放部を前方となるように前記陰茎の根元部に挿着した際に、前記先端開放部が勃起時の陰茎の根元部に沿う高さに形成した
ＥＤ用補助具であることを特徴とする。
【００１６】
ＥＤ用補助具は、締め付け部の締め付けによって陰茎の海綿体から静脈への血流を抑制する血流抑制具であることを含む。
【００１７】
締め付け部の高さは、締め付け部の半径方向と直角であり、先端開放部を形成する締め付け部の一端から他端までの長さを指す。  
締め付け部は、半径と高さが略同一、高さより半径が大きい、または半径より高さが大きい円筒形に内面を形成していることを含む。
【００１８】
また、締め付け部の内面は、平滑面、または凹凸面等で形成することを含む。  
さらにまた、締め付け部の外周面は、平滑面、凹凸、または突起を有する面で形成することを含み、外形を平面視円形、または略多角形等に形成することを含む。
【００１９】
伸縮性材料は、シリコンゴム、天然ゴム、または合成樹脂等の伸縮性を有する材料とすることを含む。  
また、伸縮性材料は、磁性体、金、銀、銅、合金、または水晶などの鉱石、ゲルマニウムなどの希土類等の血流を促す材料を、伸縮性材料の生成時に練り混ぜた血流促進機能を有する伸縮性材料とすることを含む。
【００２０】
先端開放部は、締め付け部の先端部分の内周を拡大させて形成することを指し、平面視円形、または略多角形で形成することを含む。
【００２１】
前記構成により、勃起前の陰茎に挿着することで、海綿体へ流入する血流を阻害することなく、勃起状態を生じることができ、勃起状態の陰茎を締め付け部が締め付けることによって、海綿体内の血液の静脈への流出を防止して、勃起状態を持続させることができる。
【００２２】
また、円筒形に形成した締め付け部の内面で陰茎を締め付けるため、締め付けによる痛みが生じない。  
また、締め付け部を伸縮性材料で内面を円筒形に形成したことによって、装着時の異物感を低減することができ、装着感を向上させることができる。
【００２３】
また、締め付け部の他端に先端開放部を形成し、前記締め付け部の高さを、前記先端開放部が勃起時の陰茎の根元部に沿う高さに形成したことによって、勃起状態の先端開放部の変形量を低減し、締め付け部の先端円周部が陰茎の根元部へ食い込むことを防止するとともに、食い込みによる痛みの発生を防止できる。  
また、取り外しの際に、締め付け部の先端円周部が破損することが防止できる。
【００２４】
この発明の態様として、前記先端開放部を、勃起時の陰茎の根元部の太さ以下に拡大させて形成することができる。  
【００２５】
これにより、先端開放部は、勃起時の陰茎の外周面に沿うような態様となり、性交時の異物感を低減することができる。  
また、ＥＤ用補助具を装着した場合であっても、男性用避妊用具を容易に取り付けることができる。
【００２６】
また、この発明の態様として、前記先端開放部の伸縮性材料の肉厚を、締め付け部の肉厚より薄く形成することができる。  
肉厚を薄くする構成は、締め付け部と他の部分との接続箇所で段差を設けずに肉厚を変化させることを含む。
【００２７】
これにより、締め付け強度を確保したまま、装着時の異物感をさらに低減することができる。  
また、先端開放部を薄く形成することによって、先端開放部を勃起状態の陰茎の外周面に沿うような態様とすることができる。  
また、先端開放部を薄くすることによって、パートナーへの密接感を得ることができる。
【００２８】
また、この発明の態様として、前記締め付け部の他端外側にフランジ部を備え、該フランジ部を、前記締め付け部と一体に形成し、前記フランジ部の外周縁に沿って、断面が略円形の端面補強部を備えることができる。
【００２９】
フランジ部は、締め付け部と一体形成、または別体形成とすることを含み、平面視円形、おむすび型、だるま型、または略多角形等の形状を含む。  
また、フランジ部を締め付け部と別体形成する場合は、締め付け部と同一部材で形成すること、または別部材で形成することを含む。  
また、フランジ部は、締め付け部の中心線に対して直角方向、鋭角方向、または鈍角方向で締め付け部外側に備えることを含む。
【００３０】
これにより、フランジ部を摘むことで容易に装着することができる。  
また、フランジ部を摘んで前方に引き寄せることで、取り外すことができ、陰毛を巻き込まずに容易に取り外すことができる。  
また、フランジ部分の破損を防止することができる。
【００３１】
また、装着後、フランジ部を指等で押圧して陰茎根元付近をマッサージして血流をよくして、勃起を促す際にも、端面補強部によってフランジ部の破損を防止できる。  
【００３２】
また、この発明の態様として前記端面補強部、前記フランジ部あるいは前記締め付け部に、局部の一部を圧迫して刺激を促す圧迫部を備えることができる。  
前記局部は、男性局部あるいは女性局部を指す。  
前記局部の一部は、男性陰茎部、男性睾丸部、女性陰核部、または女性陰核部付近等を含む。  
圧迫部は、球形状、卵形状、シェル形状、または釣鐘形状等の突起部で形成されることを含む。
【００３３】
これにより、例えば性交時に前記圧迫部がパートナーの局部の陰核付近を圧迫して刺激を促す等、付加的な性的刺激を得ることができる。  
従って、パートナーが年齢的に局部の血流量が減って全体的性不全症（いわゆる不感症）である場合や、パートナーが性的満足を得ることができず精神的不信感が生じていた場合であっても、前記圧迫部による付加的な性的刺激によってこれを解消して満足を得ることができる。
【００３４】
また、この発明の態様として、前記圧迫部、前記フランジ部あるいは前記締め付け部に、刺激生成用の駆動装置を備えることができる。  
駆動装置は、振動装置、うねり運動装置、または揺動装置等を含む。  
また、駆動装置は、電源が別体形成、一体形成された装置を含み、ＯＮ／ＯＦＦを切り替えるスイッチを別体形成、一体形成された装置を含む。
【００３５】
これにより、駆動装置の駆動によるより満足度の高い性的刺激を得ることができる。  
また、付加的な性的刺激を得るための別器具を必要せず、駆動装置をＥＤ用補助具と一体で使用できるため、器具を用いて性的刺激を得ることへの抵抗感がなくなる。
【発明の効果】
【００３６】
この発明により、容易に着脱できるＥＤ用補助具を提供することができる。
【発明を実施するための最良の形態】
【００３７】
この発明の一実施形態を以下図面と共に説明する。
【実施例１】
【００３８】
補助サポータ１の正面上方からの斜視図を示す図１、補助サポータ１の平面図を示す図２、補助サポータ１の中央部の断面図を示す図３とともに補助サポータ１について説明する。
【００３９】
補助サポータ１は、締め付けバンド２と、フランジ部４とで構成している。  
締め付けバンド２は、フランジ部４の中央部に、フランジ部４に対して直角方向に配され、下部を下向きのラッパ状に広げてフランジ部４と一体形成している。
【００４０】
締め付けバンド２は、内面半径が２０ｍｍ程度、高さが３０ｍｍ程度の円筒形であり、フランジ部４と反対側の締め付けバンド２の端部に先端開放部３を備えている。
【００４１】
この締め付けバンド２の内周サイズは、普通人の勃起状態の陰茎１０より小さいサイズである。
【００４２】
先端開放部３は、締め付けバンド２の先端の開口部から７ｍｍ程度を、内面に段差を設けずに半径方向外側に５ｍｍ程度広げて上向きのラッパ状に開口して形成している。
【００４３】
この先端開放部３の端部の内周は、普通人の勃起状態の陰茎１０より小さいサイズに形成している。なお、普通人の勃起状態の陰茎１０と同程度のサイズに形成してもよい。
【００４４】
これによって、締め付けバンド２内部に、フランジ部４から先端開放部３の上端まで貫通するつづみ型の孔を形成している。
【００４５】
フランジ部４は直径６０ｍｍ程度の平ワッシャ形状であり、周縁部に直径４ｍｍの円形断面の周面リング５を一体形成している。なお、これに限定されず、直径４０ｍｍ程度等の適宜の大きさの平ワッシャ形状であってもよい。
【００４６】
なお、補助サポータ１はシリコンゴム製であるが、これに限定されず、合成樹脂等の変形可能で弾力性のある材料であればよい。
【００４７】
また、締め付けバンド２は、２ｍｍ程度の肉厚で形成し、締め付けバンド２以外の部分は１ｍｍ程度の肉厚で形成しているが、これに限定されず、十分な締め付け力を確保できる適宜の肉厚であればよい。
【００４８】
以上の構成によって、陰茎１０は、締め付けバンド２の締め付け力に対抗して勃起すると、陰茎１０の勃起によって変形した締め付けバンド２は陰茎１０を締め付けて、陰茎１０内の２つの海綿体１０１（図１８）にたまった血液が、海綿体１０１中央の太い血管１０２（図１８）が通って静脈に流出することを抑制する。したがって、陰茎１０の勃起状態を持続することができる。
【００４９】
また、先端開放部３の端部の内周を、普通人の勃起状態の陰茎１０より小さいサイズに形成し、内面に段差を設けずに上向きのラッパ状に半径方向外側に広げて形成しているため、陰茎１０の勃起の際に締め付けバンド２の端部が陰茎１０に食い込むことがなく、勃起時に補助サポータ１の装着による痛みが生じることを防止できる。
【００５０】
例えば、先端開放部３の内周より陰茎１０が大きく勃起した状態であっても、半径方向外側に広げて形成することで先端開放部３の変形量を少なくしていること、または先端開放部３の肉厚を薄くしていることによって、先端開放部３による締め付け力は少なく、陰茎１０に食い込むことで生じる痛みを防止できる。
【００５１】
また、補助サポータ１は、フランジ部４を摘んで容易に着脱することができ、さらにフランジ部４の周縁を周面リング５で厚く形成して防護しているため、補助サポータ１の着脱によってフランジ部４が破損することを防止できる。
【００５２】
また、締め付けバンド２が厚いため、陰茎１０を確実に締め付けることができ、他の先端開放部３およびフランジ部４は薄いため、陰茎１０を締め付けることがなく、良好な装着感を得ることができる。
【００５３】
また、締め付けバンド２を２ｍｍ程度、締め付けバンド２以外の部分は１ｍｍ程度の肉厚で形成することによって、パートナーとの密接感を高めることができる。
【００５４】
続いて、補助サポータ１を装着した際の右上方より見た斜視図を示す図４、補助サポータ１を取り外し時の斜視図を示す図５とともに補助サポータ１の使用方法について説明する。
【００５５】
利用者は、図４（ａ）に示すように勃起前にフランジ部４を手前側にして、締め付けバンド２に陰茎１０を挿入して、フランジ部４が下腹部８に当接するまで手前に引っ張り、締め付けバンド２が陰茎１０の根元部分となるように補助サポータ１を装着する。
【００５６】
この状態において、陰茎１０の左右のフランジ部４を、指で下腹部方向に押圧してマッサージすることによって海綿体１０１に流入する血流がよくなり、勃起を促すことができる。
【００５７】
図４（ｂ）に示すように、陰茎１０が勃起することで、締め付けバンド２は内側から押し広げられるように変形して、陰茎１０を締め付ける。ここで、締め付けバンド２の肉厚を厚くし、内周サイズを普通人の勃起状態の陰茎１０より小さいサイズとしていることによって、十分な締め付け力を得ることができ、陰茎１０の勃起状態を維持することができる。
【００５８】
また、先端開放部３は半径方向外側に広げて形成していること、および先端開放部３の肉厚を締め付けバンド２より薄くしていることによって、先端開放部３は、勃起時の陰茎１０の外周面に沿うような態様となり、性交時の異物感を低減し、また、男性用避妊用具の取り付けを容易にしている。
【００５９】
性交終了後、利用者は図５に示すようにフランジ部４をつまみ、前方（図５では下方向）にフランジ部４を引っ張ることで、補助サポータ１は裏返される態様で陰茎１０から取り外すことができる。
【００６０】
ここで、フランジ部４は、陰毛を下腹部側に押えているため、取り外しの際に陰毛を巻き込むことはない。
【００６１】
また、締め付けバンド２の締め付けによって陰茎１０１内の血液が静脈に流出することを抑制しているため、性交終了後も勃起状態を維持しているが、補助サポータ１の取り外しの際、変形量の少ない先端開放部３が陰茎１０に食い込むことはなく、取り外しによる痛みを防止するとともに、先端開放部３の破損を防止している。
【実施例２】
【００６２】
次に、第２の実施形態の補助サポータ１の平面図を示す図６、中央部の断面図を示す図７とともに補助サポータ１について説明する。
【００６３】
補助サポータ１は、実施例１と同様に締め付けバンド２と、フランジ部４とで構成し、フランジ部４の周縁部に円形断面の周面リング５を一体形成している。
【００６４】
フランジ部４は、曲線で略三角形を構成したいわゆる平面視おむすび型に形成し、短直径７０ｍｍ程度、長直径８０ｍｍ程度の大きさで、平面視上方（図７では上側）を突出させている。
【００６５】
また、周面リング５の突出側端部に外側に突出するマッサージボール６を備えている。
【００６６】
マッサージボール６は、周面リング５の断面半径より大きい半径（本実施形態においては周面リング５の半径の２倍の半径）で形成した略球形状であり、周面リング５の内側端面とマッサージボール６の内側端部とを面一となる位置に配して、周面リング５と一体形成されている。
【００６７】
また、締め付けバンド２は、フランジ部４の重心より平面視下方（図７では下側）、すなわちマッサージボール６と反対側に寄せた位置に備えている。
【００６８】
また、締め付けバンド２、先端開放部３、および締め付けバンド２とフランジ部４の接続部分については実施例１と同様である。
【００６９】
利用者はマッサージボール６が陰茎１０の上方となるように補助サポータ１を装着する。
【００７０】
以上の構成により、パートナーが年齢的に局部の血流量が減って全体的性不全症（いわゆる不感症）である場合や、パートナーが性的満足を得ることができない場合であっても、マッサージボール６がパートナーの陰核付近を圧迫することで刺激し、付加的な性的刺激を得ることができるため、十分な満足感を味わうことができ、それによってパートナーとの信頼関係を深めることができる。
【００７１】
また、フランジ部４をおむすび型に形成したことによって、利用者は補助サポータ１の装着方向を容易に識別することができる。
【実施例３】
【００７２】
次に、第３の実施形態の斜視図を示す図８、中央部の断面図を示す図９とともに補助サポータ１について説明する。
【００７３】
補助サポータ１は、実施例３のマッサージボール６の内部にバイブレータ７を、マッサージボール６の前面側内部にスイッチ７ａを内蔵し、締め付けバンド２の中央よりフランジ部４側である後方の上側外周面に電池装着部７ｃを備え、バイブレータ７と電池装着部７ｃとを結ぶリード線７ｂをフランジ部４の前面に備えている。
【００７４】
バイブレータ７は、直径４ｍｍ程度、長さが２０ｍｍ程度の円柱形振動発生装置である。  
スイッチ７ａは、マッサージボール６の前面を介して押圧されることによってＯＮ／ＯＦＦを切り替えるスイッチであり、図示省略するラインでバイブレータ７に接続している。
【００７５】
なお、バイブレータ７とスイッチ７ａとは、マッサージボール６の形成時に一体形成しているが、マッサージボール６の形成完了後にバイブレータ７とスイッチ７ａとを装着してもよい。
【００７６】
また、電池装着部７ｃは直径５ｍｍ程度のボタン型電池用の電池装着部であり、リード線７ｂによりバイブレータ７と電気的に接続されている。
【００７７】
これにより、利用者はマッサージボール６が陰茎１０の上方となるように補助サポータ１を装着して陰茎１０を勃起させ、勃起完了後、又は事前に電池を電池装着部７ｃに装着し、電池装着部７ｃより前方の締め付けバンド２を外側に裏返す態様で電池装着部７ｃを覆い、先端開放部３が締め付けバンド２の根元部分となるように折り返す。
【００７８】
この状態で性交することにより、マッサージボール６の前面に備えたスイッチ７ａがマッサージボール６を介してパートナーに押圧されることでバイブレータ７が稼動し、振動を発生する。
【００７９】
以上の構成により、マッサージボール６がパートナーの陰核を振動によって刺激し、付加的な性的刺激を得ることができるため、満足度を向上させることができる。
【００８０】
また、付加的な性的刺激を得るために視認できる別器具を必要せず、バイブレータ７を補助サポータ１に一体に取り付けて使用できるため、器具を用いて性的刺激を得ることへの抵抗感がなくなる。
【００８１】
また、締め付けバンド２を折り返した折り返し端部３ａによって、実施例１における先端開放部３と同様の効果を得ることができるため、締め付けバンド２の端部が陰茎１０に食い込まず、痛みが生じない。
【００８２】
また、締め付けバンド２を折り返すことで電池装着部７ｃを覆って使用できるため電池交換も容易でありながら、先端開放部３が締め付けバンド２の根元部と密着することによって電池装着部７ｃ周辺を略密閉状態とすることができる。
【００８３】
また、補助サポータ１の取り外しの際には、締め付けバンド２の折り返しを戻して、実施例１と同様に取り外すことができるため、実施例１に述べた先端開放部３による効果を損なうことがなく取り外すことができる。
【実施例４】
【００８４】
また、第４の実施補助サポータ１の中央部分の断面図を示す図１０、形状の説明図を示す図１１とともに補助サポータ１について説明する。
【００８５】
補助サポータ１は、フランジ部４に対して締め付けバンド２を傾斜させてフランジ部４と一体形成している。
【００８６】
これにより、補助サポータ１装着の際に、例えば締め付けバンド２が上向き傾斜となるように装着することによって、陰茎を上向きに勃起させることができ、性交時の満足感をさらに高めることができる。
【実施例５】
【００８７】
また、第５の実施形態の補助サポータ１の平面図を示す図１２、形状の説明図を示す図１３とともに補助サポータ１について説明する。
【００８８】
補助サポータ１は、フランジ部４を、横幅１５０ｍｍ程度、縦幅１００ｍｍ程度の平面視略ハート型に形成している。
【００８９】
これにより、補助サポータ１の装着の際に、陰毛の大部分を覆うことができ、陰毛を巻き込むことなく、さらに容易に取り外すことができる。
【００９０】
また、フランジ部４で陰毛の大部分を覆うことができるため、毛じらみ等に感染して性交できない利用者であっても、パートナーに毛じらみを感染させることなく性交することができる。
【実施例６】
【００９１】
さらに、第６の実施形態の補助サポータ１の正面上方からの斜視図を示す図１４、形状の説明図を示す図１５、装着して勃起した状態の中央部の断面図を示す図１６、フランジ部を折り返した状態の断面図を示す図１７とともに補助サポータ１について説明する。
【００９２】
補助サポータ１は、フランジ部４の上面側の直径を６０ｍｍ程度、下面側の直径を締め付けバンド２と略同一の２０ｍｍ程度、高さを２５ｍｍ程度とした逆円錐台形状で形成し、図１６に示すように締め付けバンド２に対して鋭角に形成している。
【００９３】
フランジ部４の肉厚を４ｍｍ程度に、周面リング５を直径６ｍｍ程度の円形断面に形成している。
【００９４】
利用者は、図１６に示す状態で締め付けバンド２に陰茎１０を挿入し、締め付けバンド２とフランジ部４との外角部が、下腹部８に接触する位置で補助サポータ１を装着し、勃起後に図１７に示すようにフランジ部４を下腹部８側に折り返して正方向の円錐台形とし、周面リング５で下腹部８を押圧する。
【００９５】
これにより、陰茎１０周囲の下腹部８を背中側に押圧することとなり、陰茎１０の有効長を増大させることができる。さらに、下腹部８を基準として補助サポータ１の折り返し力で陰茎１０を前方（図１７では右側）に引っ張ることとなり、根元部がもともと下腹部８内部に埋もれている陰茎１０を引っ張り出すことができるため、陰茎１０の有効長をさらに増大させることができる。
【００９６】
なお、以上の各実施形態において、シリコンゴムで補助サポータ１を形成しているが、これに限定されず、天然ゴム、合成樹脂等の伸縮性を有する材料であってもよい。
【００９７】
また、シリコンゴム等の補助サポータ１を形成する伸縮性を有する材料に、磁性体、金、銀、銅、合金、水晶などの鉱石、ゲルマニウムなどの希土類等の血流を促す材料を練り混ぜて、血流促進機能を有してもよい。
【００９８】
これにより、勃起のための海綿体への血液の流入をよくすることができる。
【００９９】
この発明の構成と、上述の実施形態との対応において、
この発明のＥＤ用補助具は、補助サポータ１に対応し、
以下同様に
締め付け部は、締め付けバンド２に対応し、
端面補強部は、周面リング５に対応し、
圧迫部は、マッサージボール６に対応し、
駆動装置は、バイブレータ７に対応するも、
この発明は、上述の実施形態の構成のみに限定されるものではなく、多くの実施の形態を得ることができる。
【図面の簡単な説明】
【０１００】
【図１】補助サポータの斜視図。
【図２】補助サポータの平面図。
【図３】補助サポータの断面図。
【図４】装着時の補助サポータの斜視図。
【図５】取り外し時の補助サポータの斜視図。
【図６】実施例２の補助サポータの平面図。
【図７】実施例２の補助サポータの断面図。
【図８】実施例３の補助サポータの斜視図。
【図９】実施例３の補助サポータの断面図。
【図１０】実施例４の補助サポータの断面図。
【図１１】実施例４の補助サポータの形状の説明図。
【図１２】実施例５の補助サポータの平面図。
【図１３】実施例５の補助サポータの形状の説明図。
【図１４】実施例６の補助サポータの斜視図。
【図１５】実施例６の補助サポータの形状の説明図。
【図１６】実施例６の補助サポータの断面図。
【図１７】実施例６の補助サポータの断面図。
【図１８】陰茎の拡大断面図。
【符号の説明】
【０１０１】
１…補助サポータ
２…締め付けバンド
３…先端開放部
４…フランジ部
５…周面リング
６…マッサージボール
７…バイブレータ
１０…陰茎
【図１】
2006110319.tif 000003
【図２】
2006110319.tif 000004
【図３】
2006110319.tif 000005
【図４】
2006110319.tif 000006
【図５】
2006110319.tif 000007
【図６】
2006110319.tif 000008
【図７】
2006110319.tif 000009
【図８】
2006110319.tif 000010
【図９】
2006110319.tif 000011
【図１０】
2006110319.tif 000012
【図１１】
2006110319.tif 000013
【図１２】
2006110319.tif 000014
【図１３】
2006110319.tif 000015
【図１４】
2006110319.tif 000016
【図１５】
2006110319.tif 000017
【図１６】
2006110319.tif 000018
【図１７】
2006110319.tif 000019
【図１８】
2006110319.tif 000020